(57)【要約】 【課題】隙間隠しカバーでシート・クッションの後端とシート・バックの下端との間の隙間を常に隠せ、特に、そのシート・バックをそのシート・クッションにほぼフラットに後倒しさせてもその隙間にそのカバーの入り込みを未然に回避でき、再びそのシート・バックを起して後にもそのカバーに隙間隠し機能を確保できて常に見映えを向上させて保つ。 【解決手段】シート・クッション１１が、それの後端部分１５に左右方向に伸びて座面１６上に盛り上げられる畝１８を備え、シート・バック１２が、それの下端部分１９をそのシート・クッション１１のその畝１８の前側に位置させてリクライニング・デバイスでそのシート・クッション１１に後倒しおよび角度調整可能に支持され、そして、隙間隠しカバー１４が、それの上端２２でそのシート・バック１１のその下端部分１９の背裏側に固定的に取り付けられてその畝１８の後側でそのシート・クッション１１の後面１７に垂れ下げられる。 【選択図】図２
2007054458.tif 000002
【特許請求の範囲】
【請求項１】
シート・クッションが、それの後端部分に左右方向に伸びて座面上に盛り上げられる畝を備え、シート・バックが、それの下端部分をそのシート・クッションのその畝の前側に位置させてリクライニング・デバイスでそのシート・クッションに後倒しおよび角度調整可能に支持され、そして、隙間隠しカバーが、それの上端でそのシート・バックのその下端部分の背裏側に固定的に取り付けられてその畝の後側でそのシート・クッションの後面に垂れ下げられるところの自動車に用いるリクライニング・シート。 
【発明の詳細な説明】
【技術分野】
【０００１】
この発明は、自動車に用いられるリクライニング・シートに関し、詳細には、シート・バックがシート・クッションとほぼフラットに後倒しされて後に再び起こされてもそのシート・クッションとそのシート・バックとの間の隙間隠し機能を確保するところの自動車に用いるリクライニング・シートに関する。 
【背景技術】
【０００２】
通常、シート・バックがリクライニング・デバイスでシート・クッションに後倒しおよび角度調整可能に支持されるフロント・リクライニング・シートやセカンド・リクライニング・シートでは、隙間隠し垂れでそのシート・クッションとそのシート・バックとの隙間が隠される。ところが、そのシート・バックがそのシート・クッションにほぼフラットに後倒しされると、その隙間隠し垂れはそのシート・クッションとそのシート・バックとの間の隙間に入り込み、その後、そのシート・バックが起こされてもその隙間隠し垂れはそのシート・クッションとそのシート・バックとの間のその隙間に入り込んだまたになって隙間隠しとして機能しなくなる。 
【特許文献１】実開平５−４９４７号公報
【発明の開示】
【発明が解決しようとする課題】
【０００３】
この発明の課題は、隙間隠しカバーでシート・クッションとシート・バックとの間の隙間を常に隠せ、特に、そのシート・バックをそのシート・クッションにほぼフラットに後倒しさせてもその隙間にその隙間隠しカバーの入り込みを未然に回避でき、再びそのシート・バックを起して後にもそのカバーに隙間隠し機能を確保できて常に見映えが保てるところの自動車に用いるリクライニング・シートの提供にある。 
【課題を解決するための手段】
【０００４】
この発明は、シート・クッションが、それの後端部分に左右方向に伸びて座面上に盛り上げられる畝を備え、シート・バックが、それの下端部分をそのシート・クッションのその畝の前側に位置させてリクライニング・デバイスでそのシート・クッションに後倒しおよび角度調整可能に支持され、そして、隙間隠しカバーが、それの上端でそのシート・バックのその下端部分の背裏側に固定的に取り付けられてその畝の後側でそのシート・クッションの後面に垂れ下げられる。 
【発明の効果】
【０００５】
この発明では、シート・クッションが、それの後端部分に畝を左右方向に伸ばして座面上に盛り上げ、そして、隙間隠しカバーが、それの上端でそのシート・バックの下端部分の背裏側に固定的に取り付けられてその畝の後側でそのシート・クッションの後面に垂れ下げられるので、そのシート・クッションとそのシート・バックとの間の隙間がその隙間隠しカバーで常に隠され、特に、そのシート・バックがそのシート・クッションにほぼフラットに後倒しされてもその隙間隠しカバーがその畝で阻止されてその隙間に入り込むことを未然に回避され、そのシート・バックが再び起こされて後にもそのカバーに隙間隠し機能が確保されて常に見映えが保たれる。 
【発明を実施するための最良の形態】
【０００６】
そのシート・クッションが、それの後端部分に断面かまぼこ形畝を左右方向に伸ばして座面上に盛り上げ、そして、それの後面を後下りに傾斜させ、シート・バックが、それの下端部分をそのシート・クッションのその畝の前側に位置させてそのリクライニング・デバイスでそのシート・クッションに後倒しおよび角度調整可能に支持され、そして、その隙間隠しカバーが、それの上端でそのシート・バックのその下端部分の背裏側に固定的に取り付けられてその畝の後側でそのシート・クッションのその後面に垂れ下げられる 
【実施例１】
【０００７】
以下、特定されて図示された具体例に基づいて、この発明の自動車に用いるリクライニング・シートを説明するに、図１および図２は、ワゴンのフロント・シートにあるいはセカンド・シートに活用されるところのこの発明の自動車に用いるリクライニング・シートの具体例１０を示し、そして、このリクライニング・シート１０は、シート・トラックを組み込むシート・クッション１１、左右のリクライニング・デバイスでそのシート・クッション１１に後倒しおよび角度調整可能に支持されるシート・バック１２、およびそのシート・バック１２に取り外し可能に組み付けられるヘッドレスト１３で組み立てられ、そして、そのシート・トラックでフロアに前後調整可能に据え付けられる。 
【０００８】
そのリクライニング・シート１０では、そのシート・クッション１１が、それの後端部分１５に断面かまぼこ形畝１８を左右方向に伸ばして座面１６上に盛り上げ、そして、それの後面１７を後下りに傾斜させ、また、シート・バック１２が、それの下端部分１９をそのシート・クッション１１のその畝１８の前側に位置させてその左右のリクライニング・デバイスでそのシート・クッション１１に後倒しおよび角度調整可能に支持され、さらに隙間隠しカバー１４が、それの上端２２でそのシート・バック１２のその下端部分１９の背裏側に固定的に取り付けられその畝１８の後側でそのシート・クッション１１の後面１７に垂れ下げられる。 
【０００９】
さらに詳細には、その隙間隠しカバー１４は、そのシート・バック１２のその下端部分１９の背裏面２０において表皮にその上端２２を縫い付け、そして、それの下端２３をその畝１８の後側に伸ばし、そのシート・クッション１１のその後面１７に垂れ下げられてそのシート・クッション１１とそのシート・バック１２との間の隙間２１を隠す。 
【００１０】
したがって、このリクライニング・シート１０では、そのシート・クッション１１の後端とそのシート・バック１２の下端の間にできるその隙間２１がその隙間隠しカバー１４で隠され、特に、そのシート・バック１２がそのシート・クッション１１にほぼフラットに後倒しされてもその隙間隠しカバー１４は、その畝１８で阻止されてその隙間２１に入り込むことを未然に回避され、そのシート・バック１２が再び起こされて後にもその隙間隠しカバー１４には隙間隠し機能が確保され、そのように、その隙間２１はそのカバーで常に隠されて見栄えが保たれる。 
【００１１】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００１２】
上述から理解されるように、この発明の自動車に用いるリクライニング・シートは、シート・クッションが、それの後端部分に左右方向に伸びて座面上に盛り上げられる畝を備え、シート・バックが、それの下端部分をそのシート・クッションのその畝の前側に位置させてリクライニング・デバイスでそのシート・クッションに後倒しおよび角度調整可能に支持され、そして、隙間隠しカバーが、それの上端でそのシート・バックのその下端部分の背裏側に固定的に取り付けられてその畝の後側でそのシート・クッションの後面に垂れ下げられるので、この発明の自動車に用いるリクライニング・シートでは、そのシート・クッションの後端とそのシート・バックの下端との間にできる隙間がその隙間隠しカバーで隠されて見映えが良くなり、また、そのシート・バックがそのシート・クッションにほぼフラットに後倒しされてもそのカバーがその畝で阻止されてその隙間に入り込むことを未然に回避され、そのシート・バックが再び起こされても後にそのカバーには隙間隠し機能が確保され、そして、その隙間がそのカバーで常に隠されて見映えが向上されて保たれ、その結果、乗用車、ワゴン、バンなどにとって非常に有用で実用的である。 
【図面の簡単な説明】
【００１３】
【図１】ワゴンのフロント・シートあるいはセカンド・シートに活用されるところのこの発明の自動車に用いるリクライニング・シートの具体例を後ろから見て示した斜視図である。
【図２】そのリクライニング・シートを一部破断して示した部分側面図である。
【符号の説明】
【００１４】
１１    シート・クッション 
１２    シート・バック 
１３    ヘッドレスト 
１４    隙間隠しカバー 
１５    後端部分 
１６    座面 
１７    後面 
１８    断面かまぼこ形畝 
１９    下端部分 
２０    背裏面 
２１    隙間 
【図１】
2007054458.tif 000003
【図２】
2007054458.tif 000004